(57)【要約】      （修正有）【課題】形状が簡素でかつ使用が便利なマルチメディア処理端末を提供する。【解決手段】マルチメディア処理端末は全体として四角形であり、正面１に円形ボタン２が設けられ、背面部が突出して四角錐台状構造を形成し、背面部に複数の放熱孔が設けられる。【選択図】図１
0003209755.tif 000002
【実用新案登録請求の範囲】
【請求項１】
マルチメディア処理端末であって、
全体として四角形であり、正面に円形ボタンが設けられ、背面部が突出して四角錐台状構造を形成し、背面部に複数の放熱孔が設けられる、
ことを特徴とするマルチメディア処理端末。
【請求項２】
前記マルチメディア処理端末の正面に円形凹溝が設けられ、前記円形ボタンが円形凹溝に設けられ、円形ボタンの表面が前記マルチメディア処理端末の正面と同一平面になる、
ことを特徴とする請求項１に記載のマルチメディア処理端末。
【請求項３】
前記マルチメディア処理端末は、正面の辺縁に面取りが設けられる、
ことを特徴とする請求項１に記載のマルチメディア処理端末。
【請求項４】
前記四角錐台状構造の側表面が台形面であり、前記放熱孔が前記台形面に設けられる、
ことを特徴とする請求項１に記載のマルチメディア処理端末。
【請求項５】
前記放熱孔は細長形であり、前記台形面の底辺と平行に設けられる、
ことを特徴とする請求項４に記載のマルチメディア処理端末。
【請求項６】
前記マルチメディア処理端末の一端面には、電気接続ポートが設けられる、
ことを特徴とする請求項１に記載のマルチメディア処理端末。
【請求項７】
前記マルチメディア処理端末の一端面にケーブルが設けられ、前記電気接続ポートが２つ設けられ、前記ケーブルが２つの前記電気接続ポートの間に設けられる、
ことを特徴とする請求項６項に記載のマルチメディア処理端末。
【請求項８】
前記マルチメディア処理端末が全体として長方形であり、前記ケーブル及び前記電気接続ポートが前記マルチメディア処理端末の長手方向における一端面に設けられる、
ことを特徴とする請求項７に記載のマルチメディア処理端末。
【請求項９】
前記マルチメディア処理端末の端部には、締結ねじが設けられる、
ことを特徴とする請求項１に記載のマルチメディア処理端末。
【考案の詳細な説明】
【技術分野】
【０００１】
本考案は、マルチメディア信号変換装置の分野に関し、特にマルチメディア処理端末に関する。
【背景技術】
【０００２】
コンピューター機器と装着型表示装置、ＶＲメガネ（virtual reality glasses）などの加入者端末装置（subscriber terminal equipment）との間には、ユーザにビデオ、オーディオなどのマルチメディア情報を提供するために、一般的に、マルチメディア処理端末によってマルチメディア信号の変換を行う必要がある。従来技術では、マルチメディア端末は様々な複雑の形状に形成されるため、使用が不便である。
【考案の概要】
【考案が解決しようとする課題】
【０００３】
本考案が解決しようとする課題は、形状が簡素でかつ使用が便利なマルチメディア処理端末を提供することにある。
【課題を解決するための手段】
【０００４】
上述した課題を解決するために、本考案は、マルチメディア処理端末であって、全体として四角形であり、正面に円形ボタンが設けられ、背面部が突出して四角錐台状構造を形成し、背面部に複数の放熱孔が設けられるマルチメディア処理端末を提供する。
【０００５】
ここで、上記マルチメディア処理端末の正面に円形凹溝が設けられ、上記円形ボタンが円形凹溝に設けられ、円形ボタンの表面が上記マルチメディア処理端末の正面と同一平面になる。
【０００６】
ここで、上記マルチメディア処理端末は、正面の辺縁に面取りが設けられる。
【０００７】
ここで、上記四角錐台状構造の側表面が台形面であり、上記放熱孔が上記台形面に設けられる。
【０００８】
ここで、上記放熱孔は細長形であり、上記台形面の底辺と平行に設けられる。
【０００９】
ここで、上記マルチメディア処理端末の一端面には、電気接続ポートが設けられる。
【００１０】
ここで、上記マルチメディア処理端末の一端面にケーブルが設けられ、上記電気接続ポートが２つ設けられ、上記ケーブルが２つの上記電気接続ポートの間に設けられる。
【００１１】
ここで、上記マルチメディア処理端末が全体として長方形であり、上記ケーブル及び電気接続ポートが上記マルチメディア処理端末の長手方向における一端面に設けられる。
【００１２】
ここで、上記マルチメディア処理端末の端部には、締結ねじが設けられる。
【考案の効果】
【００１３】
本考案に係るマルチメディア端末は、全体として四角形であり、正面に円形ボタンが設けられるため、正面の全体構造が簡単であり、四角形と円形の組み合わせによって独特の視覚効果を達成でき、円形ボタンによってユーザの操作を便利にする。また、背面部が突出して四角錐台状構造を形成するため、マルチメディア処理端末の全体厚みを増加させ、端末の内部に電子部品を設けるのに便利であるとともに、端末の側面を薄肉に形成可能であり、使用者に全体として薄型化の視覚効果を与える。
【図面の簡単な説明】
【００１４】
【図１】図１は、本考案に係るマルチメディア処理端末の斜視図である。
【図２】図２は、本考案に係るマルチメディア処理端末の正面図である。
【図３】図３は、本考案に係るマルチメディア処理端末の背面図である。
【図４】図４は、本考案に係るマルチメディア処理端末の左側面図である。
【図５】図５は、本考案に係るマルチメディア処理端末の右側面図である。
【図６】図６は、本考案に係るマルチメディア処理端末の平面図である。
【図７】図７は、本考案に係るマルチメディア処理端末の底面図である。
【考案を実施するための形態】
【００１５】
本考案の好ましい実施形態で提供するマルチメディア処理端末は、図１〜２に示すように、マルチメディア情報を処理する機能を提供するためのものであり、有線及び／又は無線でマルチメディアソースの取得及び／又は出力を行うことができる。その端末は、全体として四角形であり、正面１に円形ボタン２が設けられる。このようにして、正面１の全体構造が簡単であり、四角形と円形の組み合わせによって独特の視覚効果を達成でき、円形ボタン２によってユーザの操作を便利にする。
【００１６】
図３〜６に示すように、マルチメディア処理端末は、背面部が突出して四角錐台状構造３を形成する。このようにして、マルチメディア処理端末の全体厚みを増加させ、端末の内部に電子部品を設けるのに便利であるとともに、端末の側面を薄肉に形成できるため、使用者に全体として薄型化の視覚効果を与える。
【００１７】
図３に示すように、マルチメディア処理端末の背面部には、複数の放熱孔４が設けられる。その放熱孔４により、内部の電子部品の放熱効果を向上させ、端末動作時の信頼性を向上することができる。
【００１８】
さらに、図１〜２に示すように、マルチメディア処理端末の正面１に円形凹溝１0が設けられ、円形ボタン２が円形凹溝１0に設けられ、円形ボタン２の表面がマルチメディア処理端末の正面１と同一平面になる。こうようにして、マルチメディア処理端末の正面１を平らにし、円形ボタン２の誤操作を防止することができる。
【００１９】
マルチメディア処理端末は、正面１の辺縁に面取り１１が設けられる。このようにして、正面１と側面との間で円滑に移動できるとともに、さらに消費者に厚み薄型化の視覚効果を与えることができる。
【００２０】
四角錐台状構造３の側表面が台形面３１であり、放熱孔４が上記台形面３１に設けられる。マルチメディア端末は背面が下方に向かってデスク又は他の物体の表面に置かれるときに、台形面３１がデスク又は他の物体の表面と密着することがないため、放熱に不利な影響を与えない。
【００２１】
放熱孔４は、細長形であり、台形面３１の底辺と平行に設けられる。このようにして、放熱孔４の加工、射出成形に有利であるとともに、放熱孔４の長さを最大限に増加できるため、放熱にも有利である。
【００２２】
マルチメディア処理端末の一端面には、電気接続ポート５が設けられる。このようにして、電気接続ポート５により、マルチメディアソースの取得又は出力を行うことができる。
【００２３】
マルチメディア処理端末の一端面には、ケーブル６が設けられる。このようにして、ケーブル６により、電力を入力することができ、マルチメディアソースの取得又は出力を行うこともできる。電気接続ポート５は２つ設けられ、複数のマルチメディアソースの取得又は出力を行うことができる。２つの電気接続ポート５は、それぞれ高精細度マルチメディアインターフェース（High Definition Multimedia Interface、HDMI（登録商標））及びmini USBインターフェースであり、異なるタイプのプラグに適用可能である。ケーブル６は、２つの電気接続ポート５の間に位置して、プラグの挿入を妨げない。
【００２４】
マルチメディア処理端末が全体として長方形であり、ケーブル６及び電気接続ポート５がマルチメディア処理端末の長手方向における一端面に設けられる。このようにして、ケーブル６の長手方向と端末本体の長手方向とは一致しており、便利に使用できる。
【００２５】
マルチメディア処理端末の端部には、締結ねじ７が設けられる。端末の端部に設ける締結ねじ７は、目立たないため、端末全体を簡素にする。
【図１】
0003209755.tif 000003
【図２】
0003209755.tif 000004
【図３】
0003209755.tif 000005
【図４】
0003209755.tif 000006
【図５】
0003209755.tif 000007
【図６】
0003209755.tif 000008
【図７】
0003209755.tif 000009